【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
シートに画像を形成する画像形成部と、
シートを前記画像形成部に搬送するための第１シート搬送通路と、
前記画像形成部により画像が形成されたシートを搬送するための第２シート搬送通路と、
前記第２シート搬送通路と前記第１シート搬送通路とを連通する再搬送通路と、
前記第２シート搬送通路の端部に設けられ、前記第２シート搬送通路を搬送されたシートを反転して前記再搬送通路に直接、搬送する正逆転可能な第１回転体と、
前記第２シート搬送通路の途中と前記再搬送通路の途中とを連通する連結通路と、
前記第２シート搬送通路上において、前記連結通路が前記第２シート搬送通路から分岐する分岐部よりもシート搬送方向下流に設けられ、前記第２シート搬送通路に搬送されたシートを反転して前記連結通路に搬送する正逆転可能な第２回転体と、
前記第２シート搬送通路上において、前記第２回転体よりもシート搬送方向上流に設けられ、シートを前記第２回転体に向けて案内する第１位置と、前記第２回転体により反転搬送されたシートを前記連結通路に向けて案内する第２位置と、に切り換え可能な案内手段と、
シートを前記連結通路を介して前記再搬送通路に搬送する場合、前記案内手段をシートの後端が前記分岐部を通過した後に前記第１位置から前記２位置に切り換え、前記第２回転体により反転搬送されたシートを前記連結通路に向けて案内するように制御する制御手段と、を備えた、ことを特徴とする画像形成装置。
【請求項２】
前記制御手段は、第１のサイズよりも小さい第２のサイズのシートの両面に画像を形成する場合、シートの後端が前記第１のサイズのシートの両面に画像を形成する場合よりも前記第２シート搬送通路の上流側の位置に到達したタイミングでシートの反転を開始するように前記第２回転体を制御する、ことを特徴とする請求項１記載の画像形成装置。
【請求項３】
前記制御手段は、前記第１のサイズのシートの両面に画像を形成する場合、シートの一部が機外に出るまで搬送した後に反転搬送させるように前記第１回転体を制御する、ことを特徴とする請求項２記載の画像形成装置。
【請求項４】
前記連結通路よりもシート搬送方向上流にて前記第２シート搬送通路から分岐し、シートを排出するシート排出通路を備え、
前記案内手段は、前記第２位置にあって、前記第２シート搬送通路を搬送されるシートを前記シート排出通路に導く、ことを特徴とする請求項３記載の画像形成装置。
【請求項５】
前記案内手段は、シートを、前記連結通路に案内する第１案内面と、前記シート排出通路に案内する前記第１案内面と反対側の第２案内面を有する、ことを特徴とする請求項４記載の画像形成装置。
【請求項６】
前記第２シート搬送通路の途中から分岐し、シートを排出するシート排出通路と、
前記シート排出通路に配置された正逆転可能な排出回転体と、を備えた、ことを特徴とする請求項１記載の画像形成装置。
【請求項７】
シートサイズ情報を入力する入力手段と、
前記第２シート搬送通路に設けられ、画像が形成された第１のサイズのシートを検知する第１検知手段と、
前記第２シート搬送通路に設けられ、画像が形成された前記第１のサイズよりも短い第２のサイズのシートを検知する第２検知手段と、を備え、
前記制御手段は、複数の第１のサイズのシートを前記再搬送通路に搬送する際には、前記第１検知手段からの検知信号及び前記入力手段からのシートサイズ情報に基づき、前記第１回転体によりシートを反転して前記再搬送通路に搬送し、第２のサイズのシートを前記連結通路に搬送する際には、前記第２検知手段からの検知信号及び前記入力手段からのシートサイズ情報に基づき、前記第２回転体によりシートを反転して前記連結通路に搬送する、ことを特徴とする請求項１記載の画像形成装置。
【請求項８】
前記制御手段は、１枚の第１のサイズのシートの両面に前記画像形成部により画像を形成する場合、第１のサイズのシートを前記連結通路に搬送するよう前記第２回転体を制御する、ことを特徴とする請求項７記載の画像形成装置。
【請求項９】
シートが積載される積載部と、
前記積載部に積載されたシートを前記第１シート搬送通路へ給送するシート給送部と、を備え、
前記制御手段は、複数枚の第１のサイズのシートの両面に前記画像形成部により画像を連続して形成する際には、前記シート給送部から給送されてきた第１のサイズのシートと、前記第１回転体によって反転された後に前記再搬送通路を経てきた第１のサイズのシートとが交互に前記第１シート搬送通路を通過し、複数枚の前記第１のサイズよりも短い第２のサイズのシートの両面に前記画像形成部により画像を連続して搬送する際には、前記シート給送部から給送されてきた第２のサイズのシートと、前記第２回転体によって反転された後に前記連結通路及び前記再搬送通路を経てきた第２のサイズのシートと、が交互に前記第１シート搬送通路を通過するように、前記第１及び第２回転体及び案内手段を制御する、ことを特徴とする請求項１記載の画像形成装置。
【請求項１０】
前記第１回転体は、前記第２シート搬送通路を通過したシートを機外に排出可能に前記第２シート搬送通路の端部に配置されている、ことを特徴とする請求項１記載の画像形成装置。
【請求項１１】
前記再搬送通路上に配置され、前記第２回転体にて反転搬送されたシートが受け渡される第３回転体を備え、
前記第２回転体と前記第３回転体との間の距離は、前記第１回転体と前記第３回転体との間の距離よりも短い、ことを特徴とする請求項１記載の画像形成装置。
【請求項１２】
前記再搬送通路上にて前記第１回転体に最も近接して配置され、前記第１回転体にて反転搬送されたシートが受け渡される第４回転体を備え、
前記第２回転体と前記第３回転体との間の距離は、前記第３回転体と前記第４回転体との間の距離よりも短い、ことを特徴とする請求項１１記載の画像形成装置。
【請求項１３】
前記第３及び第４回転体は、それぞれ回転軸に沿って所定間隔を存して設けられた複数の搬送部を備えており、前記第３回転体の前記複数の搬送部は、前記複数の搬送部間の軸方向の距離が前記第４回転体の搬送部の間の前記軸方向の距離よりも狭い、ことを特徴とする請求項１２記載の画像形成装置。
【請求項１４】
前記第３回転体の搬送部の数は、前記第４回転体の搬送部の数よりも多い、ことを特徴とする請求項１３記載の画像形成装置。
【請求項１５】
前記第３及び第４回転体のそれぞれは、回転軸上に配置された搬送部を備えており、前記第３回転体の搬送部の軸方向の幅は、前記第４回転体の搬送部の軸方向の幅よりも長い、ことを特徴とする請求項１２記載の画像形成装置。
【請求項１６】
シートが積載される積載部と、
シートに画像を形成する画像形成部と、
前記画像形成部へ向かうシートが通過する第１シート搬送通路と、
前記積載部に積載されたシートを前記第１シート搬送通路へ給送するシート給送部と、
前記画像形成部により画像が形成されたシートが通過する第２シート搬送通路と、
前記第２シート搬送通路と前記第１シート搬送通路とを連通する再搬送通路と、
前記第２シート搬送通路から前記再搬送通路にシートを搬送する搬送手段と、
前記第２シート搬送通路の途中と前記再搬送通路の途中とを連通する連結通路と、
複数枚の第１のサイズのシートの両面に前記画像形成部により画像を連続して形成する際には、前記シート給送部から給送されてきた第１のサイズのシートと、前記搬送手段によって反転された後に前記連結通路を経ずに前記再搬送通路を経てきた第１のサイズのシートとが交互に前記第１シート搬送通路を通過し、複数枚の前記第１のサイズよりも短い第２のサイズのシートの両面に前記画像形成部により画像を連続して搬送する際には、前記シート給送部から給送されてきた第２のサイズのシートと、前記搬送手段によって反転された後に前記連結通路及び前記再搬送通路を経てきた第２のサイズのシートと、が交互に前記第１シート搬送通路を通過するように、前記搬送手段を制御する制御手段と、を備えた、ことを特徴とする画像形成装置。
【請求項１７】
前記搬送手段は、
前記第２シート搬送通路に配置された正逆転可能な第１回転体と、
前記第１回転体よりもシート搬送方向上流にて前記第２シート搬送通路に配置された正逆転可能な第２回転体と、を備え、
前記制御手段は、第１のサイズのシートの両面に画像を形成する場合、前記第２シート搬送通路を搬送されたシートを前記再搬送通路へ反転搬送させるように前記第１回転体を制御し、
前記制御手段は、前記第１のサイズよりも短い第２サイズのシートの両面に画像を形成する場合、前記第２シート搬送通路を搬送されたシートを前記連結通路へ反転搬送させるように前記第２回転体を制御する、ことを特徴とする請求項１６記載の画像形成装置。
【請求項１８】
前記第１及び第２シート搬送通路は、垂直方向に延設され、
前記シート排出通路は、前記第２シート搬送通路を挟んで前記画像形成部と同じ側に向かって分岐している、ことを特徴とする請求項４記載の画像形成装置。
【請求項１９】
前記第２シート搬送通路上において、前記第２回転体よりもシート搬送方向上流に設けられ、シートを前記第２回転体に向けて案内する第１位置と、前記第２回転体により反転搬送されたシートを前記連結通路に向けて案内する第２位置と、に切り換え可能な案内手段を備えた、ことを特徴とする請求項１７記載の画像形成装置。
【請求項２０】
前記第２シート搬送通路から分岐し、画像が形成されたシートが通過するシート排出通路と、
前記シート排出通路を通過してきたシートを排出する排出部と、を備えた、ことを特徴とする請求項１６記載の画像形成装置。
【請求項２１】
シート排出通路は、前記第２シート搬送通路における前記連結通路が連結される位置よりも、画像が形成されたシートが前記搬送手段へ向かうシート搬送方向における上流にて分岐している、ことを特徴とする請求項２０記載の画像形成装置。
【請求項２２】
前記シート給送部は、前記積載部に積載されたシートを第１端を先端として給送し、
シートの片面のみに画像を形成する場合、前記画像形成装置は、第１端が先端に維持された状態のシートに対して画像を形成する、ことを特徴とする請求項１６記載の画像形成装置。
【請求項２３】
前記第１及び第２シート搬送通路は、垂直方向に延設され、
前記シート排出通路は、前記第２シート搬送通路を挟んで前記画像形成部と同じ側に向かって分岐している、ことを特徴とする請求項２０記載の画像形成装置。
【請求項２４】
前記画像形成部が前記シート給送部から給送された第１のサイズのシートに画像を形成する最中に、他の第１のサイズのシートが前記再搬送通路に存在し、
前記画像形成部が前記シート給送部から給送された第２のサイズのシートに画像を形成する最中に、他の第２のサイズのシートが前記再搬送通路に存在する、ことを特徴とする請求項１６記載の画像形成装置。
【手続補正２】
【補正対象書類名】明細書
【補正対象項目名】００１１
【補正方法】変更
【補正の内容】
【００１１】
本発明に係る画像形成装置は、シートに画像を形成する画像形成部と、シートを前記画像形成部に搬送するための第１シート搬送通路と、前記画像形成部により画像が形成されたシートを搬送するための第２シート搬送通路と、前記第２シート搬送通路と前記第１シート搬送通路とを連通する再搬送通路と、前記第２シート搬送通路の端部に設けられ、前記第２シート搬送通路を搬送されたシートを反転して前記再搬送通路に直接、搬送する正逆転可能な第１回転体と、前記第２シート搬送通路の途中と前記再搬送通路の途中とを連通する連結通路と、前記第２シート搬送通路上において、前記連結通路が前記第２シート搬送通路から分岐する分岐部よりもシート搬送方向下流に設けられ、前記第２シート搬送通路に搬送されたシートを反転して前記連結通路に搬送する正逆転可能な第２回転体と、前記第２シート搬送通路上において、前記第２回転体よりもシート搬送方向上流に設けられ、シートを前記第２回転体に向けて案内する第１位置と、前記第２回転体により反転搬送されたシートを前記連結通路に向けて案内する第２位置と、に切り換え可能な案内手段と、シートを前記連結通路を介して前記再搬送通路に搬送する場合、前記案内手段をシートの後端が前記分岐部を通過した後に前記第１位置から前記２位置に切り換え、前記第２回転体により反転搬送されたシートを前記連結通路に向けて案内するように制御する制御手段と、を備えたことを特徴とするものである。
【手続補正３】
【補正対象書類名】明細書
【補正対象項目名】００１２
【補正方法】変更
【補正の内容】
【００１２】
また、本発明に係る画像形成装置は、シートが積載される積載部と、シートに画像を形成する画像形成部と、前記画像形成部へ向かうシートが通過する第１シート搬送通路と、前記積載部に積載されたシートを前記第１シート搬送通路へ給送するシート給送部と、前記画像形成部により画像が形成されたシートが通過する第２シート搬送通路と、前記第２シート搬送通路と前記第１シート搬送通路とを連通する再搬送通路と、前記第２シート搬送通路から前記再搬送通路にシートを搬送する搬送手段と、前記第２シート搬送通路の途中と前記再搬送通路の途中とを連通する連結通路と、複数枚の第１のサイズのシートの両面に前記画像形成部により画像を連続して形成する際には、前記シート給送部から給送されてきた第１のサイズのシートと、前記搬送手段によって反転された後に前記連結通路を経ずに前記再搬送通路を経てきた第１のサイズのシートとが交互に前記第１シート搬送通路を通過し、複数枚の前記第１のサイズよりも短い第２のサイズのシートの両面に前記画像形成部により画像を連続して搬送する際には、前記シート給送部から給送されてきた第２のサイズのシートと、前記搬送手段によって反転された後に前記連結通路及び前記再搬送通路を経てきた第２のサイズのシートと、が交互に前記第１シート搬送通路を通過するように、前記搬送手段を制御する制御手段と、を備えたことを特徴とする。